(57)【特許請求の範囲】
【請求項１】
ベース化粧料が収容され、上端に開口部（１１）が設けられる容器本体（１０）と、
前記容器本体（１０）の開口部（１１）の上端に係止される装着顎部（２１）と、前記開口部（１１）に挿入される係止顎部（２２）と、を有し、前記開口部（１１）の上端に装着されるブレード（２０）と、
前記容器本体（１０）の 開口部１１に対して着脱されるキャップ（３１）と、前記キャップ（３１）の上部に結合され、前記キャップ（３１）の内側に一部が挿入され、他の一部は上部に突出し、内部に機能性化粧料を充填可能な押圧袋（３２）と、前記押圧袋（３２）の下部に結合され、化粧料を吸入・排出させるスポイト管（３３）と、を有し、前記容器本体（１０）に対して着脱可能に結合され、内部に機能性化粧料が充填されるスポイト（３０）と、
前記スポイト（３０）の下端に結合され、スポイト（３０）の内部に充填された機能性化粧料の漏れを防止するスポイトキャップ（４０）と、を含んでなり、
前記スポイトキャップ（４０）は、前記ブレード（２０）の係止顎部（２２）の直径よりも大きい直径の係止環状突条（４１）が上側に延設され、内側中央に前記スポイト管（３３）の下端を塞ぐための密閉用突起（４２）が上部に突出して設けられ、前記容器本体（１０）から前記スポイト（３０）を取り出すとき、前記係止環状突条（４１）が前記ブレード（２０）の係止顎部（２２）に係止されて前記スポイト管（３３）から分離され、
前記スポイト管（３３）から分離された前記スポイトキャップ（４０）は、前記容器本体（１０）を揺動させるとき、前後左右に揺れながら、機能性化粧料が前記ベース化粧料に希釈されるようにすることを特徴とする、スポイト型異液混合容器。
【請求項２】
前記ブレード（２０）の上端に前記装着顎部（２１）が設けられ、前記ブレード（２０）の下端には前記係止顎部（２２）が内側に延設されることを特徴とする、請求項１に記載のスポイト型異液混合容器。
【請求項３】
前記キャップ（３１）は上端内側に第１結合突起（３４）が延設され、前記第１結合突起（３４）は押圧袋（３２）の下部外周面に設けられた第１結合溝（３５）と結合されることを特徴とする、請求項１に記載のスポイト型異液混合容器。
【請求項４】
前記押圧袋（３２）の下部内周面には第２結合溝（３７）が設けられ、前記第２結合溝（３７）はスポイト管（３３）の上端に設けられた第２結合突起（３６）と結合されることを特徴とする、請求項１に記載のスポイト型異液混合容器。
【発明の詳細な説明】
【技術分野】
【０００１】
本発明は、スポイト型異液混合容器に係り、さらに詳しくは、機能性化粧料とベース化粧料をそれぞれスポイトと容器本体に別々に充填するが、前記スポイトはスポイトキャップで密閉し、化粧品の使用のためにスポイトを容器本体から分離させるときに、前記スポイトキャップが容器本体の入口部のブレードに係止されて取り外され、スポイトに充填された機能性化粧料が容器本体の内部に吐出されるようにして、ベース化粧料と機能性化粧料とを混合して使用できるようにすることにより、機能性化粧料が保管中に変質することを防止して機能性化粧料の効果を極大化させることができるようにする、スポイト型異液混合容器に関する。
【背景技術】
【０００２】
化粧品は、人の身体を清潔にし、美化し、魅力を増し、容姿を明るく変え、または皮膚もしくは毛髪を健やかに維持または増進するために人体に使用される物品であって、人体に対する作用が穏和なものをいう。
【０００３】
近年、化粧品は、単なる容姿の整えの用途から外れて皮膚を保護しながらも、皮膚に栄養を与える機能性化粧品が大きく増える傾向にある。
【０００４】
前記機能性化粧品とは、皮膚の美白や皮膚の皺の改善、紫外線からの皮膚の保護などに役立つ製品であって、例えば日焼け止め、シワ改善栄養クリーム、美白エッセンスなどがある。
【０００５】
前述のように、化粧品は、最近機能性を重視するようになり、使用用途や特性に応じて様々な種類に発展してきた。特に、ビタミン類やその他の生体活性美容成分などを含む機能性化粧料をベース化粧料中に含ませようとする試みがなされてきた。
【０００６】
しかしながら、前記機能性化粧料は、非常に不安定で変質しやすいので、ベース化粧料中に含ませて長期間保管することが困難であるという問題点があった。
【０００７】
かかる問題点を解決するために、図１に示すように、韓国登録特許第１０−１４３１５１８号が開示されているが、これは、ピペット型異液混合容器であって、ベース化粧料と機能性化粧料をそれぞれ分離させて容器本体とピペットに充填させておき、化粧品使用の際に使用者の操作によって、ピペットに充填された機能性化粧料を容器本体の内部に吐出させ、これによりベース化粧料と機能性化粧料とを混合させて使用できるようにすることで、機能性化粧料の変質を防止することができるようにしたものである。
【０００８】
ところが、前記従来技術は、ピペット１及び蓋２内に充填されている化粧料を吐出させるためにピストン３とシリンダー４の構造を使用することにより多数の部品が必要とされて製造コストが上昇し、組立工数が増加して生産性が低下するという問題点があった。
【０００９】
また、前記従来技術は、化粧料を使用するために蓋２を回転させて容器を開きながら、ピペット１を密閉していたピペットキャップ５が、容器本体６の下部にあるピペットキャップ溝７の係止部に係止されて取り外され、これによりピペット１の内部に充填されていた化粧料が吐出される構造を形成しているが、この際、図２に示すように取り外されたピペットキャップ５が横になる場合、容器を閉じたときにピペット１の先端部がピペットキャップ５に触れて破損するおそれがあるだけでなく、ピペット１の先端部にピペットキャップ５が触れて蓋２を容器に対して完全に閉じることができなくなって漏水が発生するという問題点があった。
【００１０】
また、前記従来技術は、容器本体６内に、ピペットキャップ溝７を含むピペットキャップ補助函８が設けられ、これを保護する下部キャップ９を形成することにより、製造公差が精巧でなければならないため、ガラス材質を用いるブローイング（ｂｌｏｗｉｎｇ）方式では製造することができず、射出方式でのみ製造可能であって、合成樹脂材のみから製造することができて材質が制限されるという問題点があり、これにより金型の費用が増加し且つ製造コストが上昇するという問題点があった。
【発明の概要】
【発明が解決しようとする課題】
【００１１】
本発明は、かかる問題点を解決するために案出されたもので、その目的は、機能性化粧料とベース化粧料をそれぞれスポイトと容器本体に別々に充填するが、前記スポイトはスポイトキャップで密閉し、化粧品の使用のためにスポイトを容器本体から分離させるときに、前記スポイトキャップが容器本体の入口部のブレードに係止されて取り外され、スポイトに充填された機能性化粧料が容器本体の内部に吐出されるようにして、ベース化粧料と機能性化粧料とを混合して使用できるようにすることにより、機能性化粧料が保管中に変質することを防止して機能性化粧料の効果を極大化させることができるようにする、スポイト型異液混合容器を提供することにある。
【００１２】
本発明の他の目的は、容器の構造を単純化させることにより、量産を容易にし、製造コスト及び組立工数を低減して生産性を向上させるスポイト型異液混合容器を提供することにある。
【００１３】
本発明の別の目的は、容器本体の下部に他の構造物を組み立てないように構成することにより容器本体が単純に製造されるので、ブローイング（ｂｌｏｗｉｎｇ）方式でも製造することができ、ガラス、ＰＥＴ、合成樹脂材など容器材質の制限がないため化粧料に応じて容器の材質を適切に選択することができ、製造コストを低減させることができるようにする、スポイト型異液混合容器を提供することにある。
【課題を解決するための手段】
【００１４】
本発明は、ベース化粧料が収容され、上端に開口部１１が設けられる容器本体１０と、
前記容器本体１０の開口部１１に挿入され、開口部１１の上端に装着されるブレード２０と、
前記容器本体１０に対して着脱可能に結合され、内部に機能性化粧料が充填されるスポイト３０と、
前記スポイト３０の下端に結合され、スポイト３０の内部に充填された機能性化粧料の漏れを防止するスポイトキャップ４０と、を含んでなり、
前記スポイトキャップ４０は、スポイト３０を容器本体１０から取り出すとき、容器本体１０の開口部１１に装着されたブレード２０に係止されてスポイト３０から取り外されるように、上側に係止環状突条４１が延設されることを特徴とする、スポイト型異液混合容器を提供する。
【００１５】
また、前記ブレード２０は、円筒状をし、中央にはスポイト３０を挿入するためのホールが設けられる。
【００１６】
また、前記ブレード２０の下端には、係止顎部２２が内側に延設されることを特徴とする。
【００１７】
また、前記スポイト３０は、容器本体１０の開口部１１に対して着脱されるキャップ３１と、前記キャップ３１の上部に結合され、キャップ３１の内側に一部が挿入され、他の一部は上部に突出する押圧袋３２と、前記押圧袋３２の下部に結合され、化粧料を吸入・排出させるスポイト管３３とから構成されることを特徴とする。
【００１８】
また、前記キャップ３１の上端には第１結合突起３４が内側に延設され、前記押圧袋３２の下部外周面には第１結合溝３５が設けられることにより、これらが互いに結合されることを特徴とする。
【００１９】
また、前記押圧袋３２の下部内周面には第２結合溝３７が設けられ、前記スポイト管３３の上端には第２結合突起３６が外側に延設されることにより、これらが互いに結合されることを特徴とする。
【００２０】
また、前記押圧袋３２は、復元力のある弾性材質で形成され、特に天然ゴム、エラストマー、ＮＢＲ（ａｃｒｙｌｏｎｉｔｒｉｌｅ−ｂｕｔａｄｉｅｎｅ  ｒｕｂｂｅｒ）ゴム、及びシリコーンゴムの少なくとも一つの材質で形成されることが好ましい。
【００２１】
また、前記スポイトキャップ４０の内側中央には、前記スポイト管３３の下端に挿入される密閉用突起４２が上部に突出して設けられることを特徴とする。
【００２２】
また、前記係止環状突条４１の上部の直径は、前記ブレード２０の下端の直径よりも大きいことを特徴とする。
【００２３】
また、前記スポイトキャップ４０は、弾性を有する合成樹脂材で形成され、特にＰＰ（ｐｏｌｙｐｒｏｐｙｌｅｎｅ）またはＰＥ（ｐｏｌｙｅｔｈｙｌｅｎｅ）材質で構成されることが好ましい。
【発明の効果】
【００２４】
本発明は、機能性化粧料とベース化粧料をそれぞれスポイトと容器本体に別々に充填するが、前記スポイトはスポイトキャップで密閉し、化粧品の使用のためにスポイトを容器本体から分離させるときに、前記スポイトキャップが容器本体の入口部のブレードに係止されて取り外され、スポイトに充填された機能性化粧料が容器本体の内部に吐出されるようにして、ベース化粧料と機能性化粧料とを混合して使用できるようにすることにより、機能性化粧料が保管中に変質することを防止して機能性化粧料の効果を極大化させることができるようにするスポイト型異液混合容器を提供するという効果がある。
【００２５】
また、本発明は、容器の構造を単純化させることにより、量産を容易にし、製造コスト及び組立工数を低減して生産性を向上させるスポイト型異液混合容器を提供するという効果がある。
【００２６】
また、本発明は、 容器本体の下部に他の構造物を組み立てないように構成することにより容器本体が単純に製造されるので、ブローイング（ｂｌｏｗｉｎｇ）方式でも製造することができ、ガラス、ＰＥＴ、合成樹脂材など容器材質の制限がないため化粧料に応じて容器の材質を適切に選択することができ、製造コストを低減させることができるようにするスポイト型異液混合容器を提供するという効果がある。
【図面の簡単な説明】
【００２７】
【図１】従来の化粧品異液容器の断面図である。
【図２】従来の化粧品異液容器の内容物を混合する状態の断面図である。
【図３】本発明の一実施形態に係るスポイト型異液混合容器の斜視図である。
【図４】本発明の一実施形態に係るスポイト型異液混合容器の分解斜視図である。
【図５】本発明の一実施形態に係るスポイト型異液混合容器の断面図である。
【図６】本発明の一実施形態に係るスポイト型異液混合容器のスポイトからスポイトキャップを分離する状態の断面図である。
【図７】本発明の一実施形態に係るスポイト型異液混合容器のスポイトに収容された化粧料を混合する状態の断面図である。
【図８】本発明の一実施形態に係るスポイト型異液混合容器の化粧料が混合された状態の断面図である。
【発明を実施するための形態】
【００２８】
以下に添付図面を参照しながら、本発明に係る、ボタンが一体に形成されたスポイト型異液混合容器の一実施形態を説明する。
【００２９】
図３は本発明の一実施形態に係るスポイト型異液混合容器の斜視図、図４は本発明の一実施形態に係るスポイト型異液混合容器の分解斜視図、図５は本発明の一実施形態に係るスポイト型異液混合容器の断面図、図６は本発明の一実施形態に係るスポイト型異液混合容器のスポイトからスポイトキャップを分離する状態の断面図、図７は本発明の一実施形態に係るスポイト型異液混合容器のスポイトに収容された化粧料を混合する状態の断面図、図８は本発明の一実施形態に係るスポイト型異液混合容器の化粧料が混合された状態の断面図である。
【００３０】
本発明のスポイト型異液混合容器は、ベース化粧料が収容され、上端に開口部１１が設けられる容器本体１０と、前記容器本体１０の開口部１１に挿入され、開口部１１の上端に装着されるブレード２０と、前記容器本体１０に対して着脱可能に結合され、内部に機能性化粧料が充填されるスポイト３０と、前記スポイト３０の下端に結合され、スポイト３０の内部に充填された機能性化粧料の漏れを防止するスポイトキャップ４０とを含んでなり、前記スポイトキャップ４０は、スポイト３０を容器本体１０から取り出すとき、容器本体１０の開口部１１に装着されたブレード２０に係止されてスポイト３０から取り外されるように、上側に係止環状突条４１が延設される。
【００３１】
前記容器本体１０は、内部にベース化粧料が収容され、上端には開口部１１が設けられる。
【００３２】
前記容器本体１０は、従来とは異なり、下部に他の構造物を組み立てないように構成することにより製造の単純化が可能であってブローイング（ｂｌｏｗｉｎｇ）方式でも製造することができ、ガラス、ＰＥＴ、合成樹脂材など材質の制限がないため化粧料に応じて適切な材質を選択することができ、製造コストを低減することができるという利点がある。
【００３３】
前記開口部１１は、ブレード２０が装着され、外周面にはねじ山が設けられ、スポイト３０のキャップ３１の内側のねじ山に噛み合うことにより、容器本体１０を密閉させる。
【００３４】
前記ブレード２０は、容器本体１０の開口部１１に挿入され、開口部１１の上端に装着される。
【００３５】
前記ブレード２０は、上端に装着顎部２１が設けられ、下端には係止顎部２２が内側に延設される。
【００３６】
前記装着顎部２１は、図５に示すように、容器本体１０の開口部１１にブレード２０が挿入装着されるとき、前記開口部１１の上端に係止されてブレード２０が容器本体１０の内部に完全に挿し込まれてしまうことを防ぐ。
【００３７】
前記係止顎部２２の内側は、スポイト３０が出入りする通路である。
【００３８】
また、前記係止顎部２２は、スポイト３０の下端に結合されるスポイトキャップ４０を前記スポイト３０から分離させる役割を果たすとともに、スポイト管３３の表面に付着している内容物を掻き下ろす役割を果たす。
【００３９】
前記スポイト３０は、容器本体１０に対して着脱可能に結合され、内部に機能性化粧料が充填される。
【００４０】
前記スポイト３０は、容器本体１０の開口部１１に対して着脱されるキャップ３１と、前記キャップ３１の上部に結合され、キャップ３１の内側に一部が挿入され、他の一部は上部に突出する押圧袋３２と、前記押圧袋３２の下部に結合され、化粧料を吸入・排出させるスポイト管３３とから構成される。
【００４１】
前記キャップ３１は、上端内側に第１結合突起３４が延設され、内周面にはねじ山が設けられる。
【００４２】
前記第１結合突起３４は、押圧袋３２の下部外周面に設けられた第１結合溝３５と結合される。
【００４３】
前記押圧袋３２は、下部外周面に第１結合溝３５が設けられ、下部内周面には第２結合溝３７が設けられる。
【００４４】
前記第１結合溝３５には、キャップ３１の第１結合突起３４に結合され、押圧袋３２がキャップ３１から分離されることを防止する。
【００４５】
前記第２結合溝３７は、スポイト管３３の上端に設けられた第２結合突起３６に結合され、押圧袋３２とスポイト管３３とを結合させる。
【００４６】
前記押圧袋３２は、復元力のある弾性材質で形成され、特に天然ゴム、エラストマー、ＮＢＲ（ａｃｒｙｌｏｎｉｔｒｉｌｅ−ｂｕｔａｄｉｅｎｅ  ｒｕｂｂｅｒ）ゴム、およびシリコーンゴムの少なくとも一つの材質で形成されることが好ましい。
【００４７】
前記スポイト管３３は上端に第２結合突起３６が設けられ、前記第２結合突起３６は押圧袋３２の第２結合溝３７に固定結合される。
【００４８】
前記スポイト３０の下端にはスポイトキャップ４０が結合される。
【００４９】
前記スポイトキャップ４０は、スポイト３０の内部に充填された機能性化粧料の漏れを防止する役割を果たし、上側に係止環状突条４１が延設され、内側中央には密閉用突起４２が上部に突出して設けられる。
【００５０】
前記スポイトキャップ４０は、弾性を有する合成樹脂材で形成され、特にＰＰ（ｐｏｌｙｐｒｏｐｙｌｅｎｅ）またはＰＥ（ｐｏｌｙｅｔｈｙｌｅｎｅ）材質で構成されることが好ましい。
【００５１】
前記係止環状突条４１の上部の直径は、前記ブレード２０の下端に設けられた係止顎部２２の直径よりも大きい。
【００５２】
前記係止環状突条４１は、スポイト３０を容器本体１０から取り出すとき、前記容器本体１０の開口部１１に装着されたブレード２０の係止顎部２２に係止されてスポイトキャップ４０がスポイト３０から分離されるようにする。
【００５３】
前記密閉用突起４２は、スポイト管３３の下端に挿入され、スポイト３０に充填された機能性化粧料を密閉させる。
【００５４】
前記スポイト３０と容器本体１０に機能性化粧料とベース化粧料をそれぞれ別々に充填し、前記スポイト３０をスポイトキャップ４０で密閉させるが、化粧料の使用のためにスポイト３０を容器本体１０から分離させるとき、前記スポイトキャップ４０が容器本体１０の開口部１１に装着されているブレード２０に係止されて取り外され、スポイト３０に充填された機能性化粧料が容器本体１０の内部へ吐出されるようにして、ベース化粧料と機能性化粧料とを混合して使用できるようにすることにより、機能性化粧料が保管中に変質することを防止して、機能性化粧料の効果を極大化することができる。
【００５５】
次に、本発明の一実施形態に係るスポイト型異液混合容器の使用状態を詳細に説明する。
【００５６】
本発明に係るスポイト型異液混合容器を使用するために、図６に示すように、スポイト３０のキャップ３１を回転させて容器本体１０から分離させた後、スポイト管３３をブレード２０から抜き出す。
【００５７】
この際、前記スポイト管３３の下端に結合されたスポイトキャップ４０の係止環状突条４１の上部直径がブレード２０の係止顎部２２の直径よりも大きいため、前記スポイトキャップ４０がブレード２０に係止されてスポイト管３３から分離される。
【００５８】
その後、図７に示すように、スポイト３０の押圧袋３２を押圧することで、前記スポイト３０に充填された機能性化粧料を、容器本体１０に収容されたベース化粧料と混合させる。
【００５９】
その次、図８に示すように、スポイト３０のキャップ３１を容器本体１０に閉じ、容器本体１０を左右に揺動させることで、機能性化粧料がベース化粧料に完全混合されるようにする。
【００６０】
容器本体１０を揺動させるとき、前記スポイトキャップ４０は前後左右に揺れながら、機能性化粧料がベース化粧料に十分希釈されるように助ける役割を果たす。
【００６１】
本発明は、前述のように、使用者が使用する直前に、ベース化粧料と機能性化粧料とを混合して使用できるようにすることにより、機能性化粧料が保管中に変質することを防止して機能性化粧料の効果を極大化させることができるという利点がある。
【００６２】
以上、本発明の説明はスポイト型異液混合容器を実施するための一実施形態に過ぎないもので、本発明は、この一実施形態に限定されるものではない。添付された請求の範囲で請求するように、本発明の要旨を逸脱することなく、当該発明の属する分野における通常の知識を有する者であれば誰でも様々な変更実施が可能な範囲まで、本発明の範囲に属するものとみなされるべきである。
【符号の説明】
【００６３】
１０    容器本体
１１    開口部
２０    ブレード
２１    装着顎部
２２    係止顎部
３０    スポイト
３１    キャップ
３２    押圧袋
３３    スポイト管
３４    第１結合突起
３５    第１結合溝
３６    第２結合突起
３７    第２結合溝
４０    スポイトキャップ
４１    係止突起
４２    密閉用突起
【図１】
0006386668.tif 000002
【図２】
0006386668.tif 000003
【図３】
0006386668.tif 000004
【図４】
0006386668.tif 000005
【図５】
0006386668.tif 000006
【図６】
0006386668.tif 000007
【図７】
0006386668.tif 000008
【図８】
0006386668.tif 000009